【手続補正書】
【提出日】平成17年8月3日(2005.8.3)
【手続補正１】
【補正対象書類名】明細書
【補正対象項目名】全文
【補正方法】変更
【補正の内容】
【書類名】            明細書
【発明の名称】        パチンコ機
【特許請求の範囲】
【請求項１】  透光性液体が注入された透光性容器と、
空気を吐出するエアポンプと、
前記透光性容器の透光性液体に光を照射する照明手段と、を有し、
前記透光性容器は、
前記エアポンプからの空気を前記透光性容器の透光性液体に放出するための
空気導入口と、
前記透光性容器の透光性液体に放出された空気を外部に逃がすための空気排
出口と、を備え、
前記空気導入口及び前記空気排出口が、前記透光性容器に注入された透光性
液体の液位よりも上に配設されたこと、
を特徴とするパチンコ機。
【請求項２】  請求項１に記載するパチンコ機であって、
前記透光性容器及び、前記エアポンプ、前記照明手段が、ガラス扉に内設されたこと、を特徴とするパチンコ機。
【発明の詳細な説明】
【０００１】
【発明の属する技術分野】
本発明は、所謂「ウォーターランプ」を備えたパチンコ機に関する。
【０００２】
【従来の技術】
従来、所謂「ウォーターランプ」とは、ライティングされた水槽内に泡を駆け上がらせることによって、幻想的な空間を演出するものである（例えば、特許文献１、特許文献２参照）。
【０００３】
【特許文献１】
実開平５−８８０５号公報
【特許文献２】
実開平５−２３３１３号公報
【０００４】
【発明が解決しようとする課題】
従って、所謂「ウォーターランプ」をパチンコ機に備えれば、幻想的な空間を演出することができるので、遊技者に新たな興趣を与えることが可能となる。
しかしながら、パチンコ機は、ホールに設置されることを前提にして製作されているので、電気部品が多く使用されているにも拘わらず、防水処理が施されていない。従って、所謂「ウォーターランプ」をパチンコ機に単に取り付けただけでは、所謂「ウォーターランプ」の水槽内の液体が漏れた場合に故障する危険が大きい。特に、近年では、所謂「ウォーターランプ」の水槽の底部を通して泡を供給するので、所謂「ウォーターランプ」の水槽の底部から液体が漏れる可能性が少なくとも存在する。
【０００５】
そこで、本発明は、上述した点を鑑みてなされたものであり、所謂「ウォーターランプ」を安全に使用することができるパチンコ機を提供することを課題とする。
【０００６】
【課題を解決するための手段】
この課題を解決するために成された請求項１に係る発明は、パチンコ機であって、透光性液体が注入された透光性容器と、空気を吐出するエアポンプと、前記透光性容器の透光性液体に光を照射する照明手段と、を有し、前記透光性容器は、前記エアポンプからの空気を前記透光性容器の透光性液体に放出するための空気導入口と、前記透光性容器の透光性液体に放出された空気を外部に逃がすための空気排出口と、を備え、前記空気導入口及び前記空気排出口が、前記透光性容器に注入された透光性液体の液位よりも上に配設されたこと、を特徴としている。
【０００７】
【０００８】
また、請求項２に係る発明は、請求項１に記載するパチンコ機であって、前記透光性容器及び、前記エアポンプ、前記照明手段が、ガラス扉に内設されたこと、を特徴としている。
【０００９】
このような特徴を有する本発明のパチンコ機では、透光性容器と、エアポンプ、照明手段で構成された所謂「ウォーターランプ」を有している。さらに、所謂「ウォーターランプ」では、透光性容器に注入された透光性液体に対し、照射手段によって光が照射されるとともに、エアポンプから吐出された空気が放出されるので、ライティングされた透光性容器内に泡を駆け上がらせることができる。
【００１０】
この点、透光性容器においては、エアポンプからの空気を透光性容器の透光性液体に放出するための空気導入口と、透光性容器の透光性液体に放出された空気を外部に逃がすための空気排出口とを、透光性容器に注入された透光性液体の液位よりも上に配設しており、外部へと通じる空気導入口及び空気排出口が、透光性容器に注入された透光性液体の液位より下にないことから、透光性容器に注入された透光性液体が外部に漏れることを構造的に防止することができる。
【００１１】
すなわち、本発明のパチンコ機では、電気部品が多く使用されているにも拘わらず、防水処理が施されていないパチンコ機の現状を考慮し、外部へと通じる空気導入口及び空気排出口を、透光性容器に注入された透光性液体の液位よりも上に配設しており、通常の使用中に、透光性容器の透光性液体が外部に漏れることを構造的に防止しているので、所謂「ウォーターランプ」を安全に使用することができる。
【００１２】
また、本発明のパチンコ機において、空気導入口を透光性容器の上面に配設した場合には、空気導入口を介して、透光性容器の透光性液体がエアポンプに逆流することを構造的に防止することができる。この点、電気部品などの各種部品が密集しているパチンコ機の現状と、所謂「ウォーターランプ」による装飾は付属的なものであって、あくまでもパチンコ遊技が主体であるパチンコ機の本質とを考慮すれば、透光性容器の透光性液体がエアポンプに逆流しなければ、密集する電気部品などの各種部品に透光性液体がかかることがないので、所謂「ウォーターランプ」による付属的な装飾を設けるために、主体であるパチンコ遊技に支障が生じることがない。
【００１３】
また、本発明のパチンコ機において、空気排出口を透光性容器の上面に配設した場合には、空気排出口を介して、透光性容器の透光性液体が外部に流出することを構造的に防止することができる。この点、電気部品などの各種部品が密集しているパチンコ機の現状と、所謂「ウォーターランプ」による装飾は付属的なものであって、あくまでもパチンコ遊技が主体であるパチンコ機の本質とを考慮すれば、透光性容器の透光性液体が外部に流出しなければ、密集する電気部品などの各種部品に透光性液体がかかることがないので、所謂「ウォーターランプ」による付属的な装飾を設けるために、主体であるパチンコ遊技に支障が生じることがない。
【００１４】
また、本発明のパチンコ機において、所謂「ウォーターランプ」を構成する、透光性容器及び、エアポンプ、照明手段が、ガラス扉に内設されていれば、ガラス扉は回動するものであることから、上述した効果をより大きく発揮することができる。
【００１５】
尚、「液位」とは、透光性容器の透光性液体の液面の位置をいう。
【００１６】
また、「空気導入口」及び「空気排出口」は、異なるものでもよいし、同一であるものでもよい。
【００１７】
【発明の実施の形態】
以下、本発明の実施の形態を図面を参照にして説明する。図８８に、本実施の形態のパチンコ機１の正面図を示す。本実施の形態のパチンコ機１においては、図８８に示すように、ガラス扉１０１が、ヒンジ３を介して、外枠２に対して回動可能に設けられている。但し、図８８においては、ガラス扉１０１から見える遊技領域は省略してある。尚、図８９は、本実施の形態のパチンコ機１の側面図である。また、図９０は、本実施形態のパチンコ機１において、ガラス扉１０１が閉じた状態を示した上面図であり、図９１は、本実施形態のパチンコ機１において、ガラス扉１０１が開いた状態を示した上面図である。
【００１８】
また、図１に、ガラス扉１０１の分解組立図を示す。図１に示すように、ガラス扉１０１は、右サイドレンズ１１０や、表本体１２０、左サイドレンズ１３０、左下レンズ１４０、一対の基板１５０、一対の光拡散板１６０、左水槽１７０、エアポンプ１８０、右下レンズ１９０、ソレノイドゴム２００、ソレノイド軸２１０、ソレノイドキャップ２２０、ソレノイド本体２３０、ソレノイド台２５０、右水槽２６０、裏本体２７０、中波２８０、左波２９０、右波３００などから構成されている。
【００１９】
この点、右サイドレンズ１１０は、図２に示すように、透明のレンズ面１１１が設けられた扉装飾物であり、２個の螺孔１１２をもって、表本体１２０の表側に固定される（図１参照）。尚、図２は、右サイドレンズ１１０の正面図である。また、図３に右サイドレンズ１１０の平面図を示し、図４に右サイドレンズ１１０の側面図を示し、図５に右サイドレンズ１１０を裏側からみた斜視図を示す。
【００２０】
また、表本体１２０は、図６に示すように、遊技領域のための遊技領域用開口部１２１や、扉装飾物のための複数の扉装飾物用開口部１２２、右サイドレンズ１１０（図１参照）のための右サイドレンズ用開口部１２３、左サイドレンズ１３０（図１参照）のための左サイドレンズ用開口部１２４などの開口部が多く設けられている。この点、図示はしないが、遊技領域用開口部１２１にはガラスなどの透明な板が嵌め込まれ、複数の扉装飾物用開口部１２２には光透過性の樹脂が嵌め込まれている。さらに、表本体１２０の表側には、図６に示すように、右サイドレンズ１１０（図１参照）を取り付けるための２個の螺孔１２５や、左サイドレンズ１３０（図１参照）を取り付けるための２個の螺孔１２６が貫設されている。一方、表本体１２０の裏側には、図６に示すように、右下レンズ１９０（図１参照）を取り付けるための２個の螺孔１２７や、左下レンズ１４０（図１参照）を取り付けるための２個の螺孔１２８、裏本体２７０（図１参照）を取り付けるための１３個の螺孔１２９が設けられている。尚、図６は、表本体１２０の正面図である。また、図７に表本体１２０の平面図を示し、図８に表本体１２０の側面図を示し、図９に表本体１２０を表側からみた斜視図を示す。
【００２１】
また、左サイドレンズ１３０は、図１０に示すように、透明のレンズ面１３１が設けられた扉装飾物であり、２個の螺孔１３２をもって、表本体１２０の表側から固設される（図１参照）。尚、図１０は、左サイドレンズ１３０の正面図である。また、図１１に左サイドレンズ１３０の平面図を示し、図１２に左サイドレンズ１３０の側面図を示し、図１３に左サイドレンズ１３０を表側からみた斜視図を示す。
【００２２】
また、左下レンズ１４０は、図１４に示すように、透明のレンズ面１４１からなる扉装飾物であり、２個の螺孔１４２をもって、表本体１２０の裏側から固設される（図１参照）。尚、図１４は、左下レンズ１４０の正面図である。また、図１５に左下レンズ１４０の平面図を示し、図１６に左下レンズ１４０の側面図を示し、図１７に左下レンズ１４０を表側からみた斜視図を示す。
【００２３】
また、一対の基板１５０は、図１８に示すように、多数のＬＥＤ１５１が設けられた電気基板であり、裏本体１７０に固定される（図１参照）。そして、一対の基板１５０は、図示しない制御基板により制御される。尚、図１８は、基板１５０の正面図である。また、図１９に基板１５０の平面図を示し、図２０に基板１５０の側面図を示し、図２１に基板１５０の斜視図を示す。
【００２４】
また、一対の光拡散板１６０は、図２２に示すように、光透過性の一枚のプレートからできており、左水槽１７０／右水槽２６０と基板１５０との間で、裏本体１７０に固定される（図１参照）。尚、図２２は、光拡散板１６０の正面図である。また、図２３に光拡散板１６０の平面図を示し、図２４に光拡散板１６０の側面図を示し、図２５に光拡散板１６０の斜視図を示す。
【００２５】
また、左水槽１７０は、透明な樹脂でブロー成形されたものであり、図２６に示すように、左水槽１７０の上面１７３には、空気導入口１７１と、空気排出口１７２が設けられている。そして、左水槽１７０は、表本体１２０の表側から嵌装されるが、このとき、左水槽１７０の左側面１７４の全面には、光拡散板１６０が当接する（図１参照）。尚、図２６は、左水槽１７０の正面図である。また、図２７に左水槽１７０の平面図を示し、図２８に左水槽１７０の側面図を示し、図２９に左水槽１７０の斜視図を示す。
【００２６】
また、エアポンプ１８０は、図３０に示すように、吐出口１８１から空気を間欠に吐出するものであり、突設された２個の螺孔片１８２をもって、裏本体２７０の裏側から固設される（図１参照）。そして、エアポンプ１８０は、図示しない制御基板により制御される。尚、図３０は、エアポンプ１８０の正面図である。また、図３１にエアポンプ１８０の平面図を示し、図３２にエアポンプ１８０の側面図を示し、図３３にエアポンプ１８０の斜視図を示す。
【００２７】
また、右下レンズ１９０は、図３４に示すように、透明のレンズ面１９１からなる扉装飾物であり、２個の螺孔１９２をもって、表本体１２０の裏側から固設される（図１参照）。尚、図３４は、右下レンズ１９０の正面図である。また、図３５に右下レンズ１９０の平面図を示し、図３６に右下レンズ１９０の側面図を示し、図３７に右下レンズ１９０を表側からみた斜視図を示す。
【００２８】
また、ソレノイドゴム２００及び、ソレノイド軸２１０、ソレノイドキャップ２２０、ソレノイド本体２３０、ソレノイド台２５０は、ソレノイド３１０（図７６、図７９参照）を構成するものである。尚、ソレノイド３１０（図７６、図７９参照）は、図示しない制御基板により制御される。
【００２９】
ここで、ソレノイドゴム２００は、図３８に示すように、円盤の形状を有しており、その中央には、ソレノイド軸２１０に取り付けられるための孔２０１が設けられている。尚、図３８は、ソレノイドゴム２００の平面図である。また、図３９にソレノイドゴム２００の側面図を示し、図４０にソレノイドゴム２００の斜視図を示す。
【００３０】
また、ソレノイド軸２１０は、図４１に示すように、ソレノイドゴム２００を取り付けるための皿部２１１を有し、かかる皿部２１１に設けられた突起２１２にソレノイドゴム２００の孔２０１が嵌め込まれることにより（図３８〜図４０参照）、ソレノイドゴム２００がソレノイド軸２１０に取り付けられる（図１参照）。尚、図４１は、ソレノイド軸２１０の側面図である。また、ソレノイド軸２１０の平面図を図４２に示し、ソレノイド軸２１０の斜視図を図４３に示す。
【００３１】
また、ソレノイドキャップ２２０は、図４４に示すように、円筒状の本体２２１に鍔部２２２が設けられており、その中央には、穴２２３が設けられている。そして、ソレノイドキャップ２２０の穴２２３にソレノイド軸２１０が挿嵌されると（図１参照）、ソレノイドキャップ２２０の鍔部２２２は、ソレノイド軸２１０の皿部２１１に当接する（図７６、図７９参照）。尚、図４４は、ソレノイドキャップ２２０の側面図である。また、ソレノイドキャップ２２０の平面図を図４５に示し、ソレノイドキャップ２２０の斜視図を図４６に示す。
【００３２】
また、ソレノイド本体２３０は、ソレノイド軸２１０を駆動させるものであり、そのハウジングには、図４７に示すように、ソレノイド軸２１０が貫通する一対の穴２３１と、ソレノイド台２５０に取り付けるための４個の孔２３２が設けられている。尚、図４７は、ソレノイド本体２３０の平面図である。また、ソレノイド本体２３０の正面図を図４８に示し、ソレノイド本体２３０の側面図を図４９に示し、ソレノイド本体２３０の斜視図を図５０に示す。
【００３３】
また、ソレノイド台２５０は、ソレノイド本体２３０を取り付けるためのものであり、図５１に示すように、４個の孔片２５１をもって、裏本体２７０の表側から固設される（図１参照）。また、ソレノイド本体２３０は、ソレノイド台２５０の側面に設けられた４個の孔２５２をもって、ソレノイド台２５０に取り付けられる。さらに、ソレノイド台２５０の底面には、ソレノイド軸２１０が貫通するための穴２５３が設けられている。尚、図５１は、ソレノイド台２５０の正面図である。また、ソレノイド台２５０の平面図を図５２に示し、ソレノイド台２５０の側面図を図５３に示し、ソレノイド台２５０の斜視図を図５４に示す。
【００３４】
一方、右水槽２６０は、透明な樹脂でブロー成形されたものであり、図５５に示すように、右水槽２６０の上面２６３には、空気導入口２６１と、空気排出口２６２が設けられている。そして、右水槽２６０は、表本体１２０の表側から嵌装されるが、このとき、右水槽２６０の右側面２６４の全面には、光拡散板１６０が当接する（図１参照）。尚、図５５は、右水槽２６０の正面図である。また、図５６に右水槽２６０の平面図を示し、図５７に右水槽２６０の側面図を示し、図５８に右水槽２６０の斜視図を示す。
【００３５】
また、裏本体２７０は、図５９に示すように、遊技領域のための遊技領域用開口部２７１が設けられている。さらに、裏本体２７０の表側には、図５９に示すように、ソレノイド台２５０（図１参照）を取り付けるための４個の螺孔２７２や、エアポンプ１８０（図１参照）を取り付けるための２個の螺孔２７３が設けられるとともに、表本体１２０（図１参照）を取り付けるための１３個の螺孔２７４が貫設されている。また、基板１５０を固定するための一対の係着溝２７５が２組設けられている。尚、図５９は、裏本体２７０の正面図である。また、図６０に裏本体２７０の平面図を示し、図６１に裏本体２７０の側面図を示し、図６２に裏本体２７０の背面図を示し、図６３に裏本体２７０を表側からみた斜視図を示す。
【００３６】
また、中波２８０は、図６４に示すように、３個の孔２８１が設けられており、表本体１２０と裏本体２７０が取り着けられる際に、３個の孔２８１を介して、裏本体２７０の裏側から裏本体２７０の螺孔２７４に取り付けられるものである（図１参照）。尚、図６４は、中波２８０の正面図である。また、中波２８０の平面図を図６５に示し、中波２８０の側面図を図６６に示し、中波２８０の斜視図を図６７に示す。
【００３７】
また、左波２９０は、図６８に示すように、４個の孔２９１が設けられており、表本体１２０と裏本体２７０が取り着けられる際に、４個の孔２９１を介して、裏本体２７０の裏側から裏本体２７０の螺孔２７４に取り付けられるものである（図１参照）。尚、図６８は、左波２９０の正面図である。また、左波２９０の平面図を図６９に示し、左波２９０の側面図を図７０に示し、左波２９０の斜視図を図７１に示す。
【００３８】
また、右波３００は、図７２に示すように、４個の孔３０１が設けられており、表本体１２０と裏本体２７０が取り着けられる際に、４個の孔３０１を介して、裏本体２７０の裏側から裏本体２７０の螺孔２７４に取り付けられるものである（図１参照）。尚、図７２は、右波３００の正面図である。また、右波３００の平面図を図７３に示し、右波３００の側面図を図７４に示し、右波３００の斜視図を図７５に示す。
【００３９】
ここで、図７６に、裏本体２７０の正面図であって、ソレノイド３１０と、一対の基板１５０、一対の光拡散板１６０、左水槽１７０、エアポンプ１８０、右水槽２６０を裏本体２７０に取り付けた際のものを示す。図７６に示すように、エアポンプ１８０の吐出口１８１は、チューブ３３１の一端に嵌め込まれる。そして、チューブ３３１の他端は、チューブ３３２とチューブ３３３に途中で分岐し、その一方のチューブ３３２が左水槽１７０の空気導入口１７１を介して左水槽１７０の内部に挿入され、その他方のチューブ３３３が右水槽２６０の空気導入口２６１を介して右水槽２６０の内部に挿入される。この点、左水槽１７０には水１７５が注入されているが、左水槽１７０の内部に挿入されたチューブ３３２の先端は、左水槽１７０の底面にまで挿入されて、左水槽１７０の水１７５の水位以下にある。同様にして、右水槽２６０には水２６５が注入されているが、右水槽２６０の内部に挿入されたチューブ３３３の先端は、右水槽２６０の底面にまで挿入されて、右水槽２６０の水２６５の水位以下にある。
【００４０】
また、左水槽１７０の空気排出口１７２は、チューブ３３４の一端に嵌め込まれる。一方、チューブ３３４の他端は、二股ストロー３２０の一方の入口に嵌め込まれる。また、右水槽２６０の空気排出口２６２は、チューブ３３５の一端に嵌め込まれる。一方、チューブ３３５の他端は、二股ストロー３２０の他方の入口に嵌め込まれる。そして、二股ストロー３２０の共通の出口は、ソレノイド３１０の駆動によってソレノイドゴム２００が上下することにより、開閉することが可能になっている。尚、このときの平面図を図７７に示し、このときの測面図を図７８に示し、このときの斜視図を図７９に示す。但し、図７９では、チューブ３３１，３３２，３３３，３３４，３３５と、二股ストロー３２０は、省略している。
【００４１】
また、二股ストロー３２０の正面図を図８０に示し、二股ストロー３２０の平面図を図８１に示し、二股ストロー３２０の側面図を図８２に示し、二股ストロー３２０の斜視図を図８３に示す。ここで、符号３２１は、左水槽１７０の空気排出口１７２から延出したチューブ３３４の他端が嵌め込まれる一方の入り口である。また、符号３２２は、右水槽２６０の空気排出口２６２から延出したチューブ３３５の他端が嵌め込まれる他方の入り口である。さらに、符号３２３は、共通の出口である。
【００４２】
また、表本体１２０と裏本体２７０が組み込まれたガラス扉１０１について、正面図を図８４に示し、平面図を図８５に示し、側面図を図８６に示し、斜視図を図８７に示す。尚、図８４及び図８７では、左下レンズ１４０及び右下レンズ１９０が開口部から露出している。また、図８７では示していないが、遊技領域用開口部１２１にはガラスなどの透明な板が嵌め込まれ、複数の扉装飾物用開口部１２２には光透過性の樹脂が嵌め込まれている。
【００４３】
次に、本実施の形態のパチンコ機１に内設された所謂「ウォーターランプ」の構成について説明する。本実施の形態のパチンコ機１に内設された所謂「ウォーターランプ」は、左水槽１７０・右水槽２６０や、エアポンプ１８０、基板１５０などから構成されており、左水槽１７０の系統と右水槽２６０の系統がある。ここで、左水槽１７０の系統について説明すると、図９２に示すように、エアポンプ１８０の吐出口１８１から間欠的に吐出された空気は、チューブ３３１，３３２を介して、左水槽１７０内の水１７５の中に左水槽１７０の底面から放出され、左水槽１７０内の水１７５の中を泡となって上昇していく。このとき、基板１５０のＬＥＤ１５１からの光は、光拡散板１６０を通過して拡散された後に、左水槽１７０内の水１７５を照らしていく。このとき、図９２の二点差線で示すように、複数の扉装飾物用開口部１２２の一部は、左水槽１７０の正面に位置するとともに、左水槽１７０内の水１７５の水位よりも下に位置し、左水槽１７０内のチューブ３３２から外れた位置にあることから、遊技者に対し、左水槽１７０内の水１７５及び左水槽１７０内の水１７５の中を上昇していく泡のみを大きく映し出すことができる。尚、図９２では、説明の便宜上、左水槽１７０の左側面１７４と光拡散板１６０は離間して記載されているが、本実施の形態のパチンコ機１では、左水槽１７０の左側面１７４と光拡散板１６０は当接している。
【００４４】
そして、左水槽１７０内の水１７５の中を上昇していった泡（空気）は、チューブ３３４及び二股ストロー３２０を介して、二股ストロー３２０の共通の出口３２３から外部に放出される。この点、二股ストロー３２０の共通の出口３２３は、ソレノイド３１０のキャップ２００が上下することにより、開いたり閉じたりすることができるが、エアポンプ１８０が駆動中は、エアポンプ１８０からの空気を逃がすため、図９２に示すように、二股ストロー３２０の共通の出口３２３は開いた状態にある。また、エアポンプ１８０が駆動していないときは、左水槽１７０内の水１７５が蒸発することを防ぐため、二股ストロー３２０の共通の出口３２３にソレノイド３１０のキャップ２００を当接させて、二股ストロー３２０の共通の出口３２３を閉じた状態にすることが望ましい。
【００４５】
これまでは、左水槽１７０の系統について説明してきたが、右水槽２６０の系統についても同様である。従って、以上により、本実施の形態のパチンコ機１に内設された所謂「ウォーターランプ」においては、ライティングされた左水槽１７０・右水槽２６０内に泡を駆け上がらせることによって、幻想的な空間を演出することができる。
【００４６】
また、図９２では、チューブ３３２は、左水槽１７０の空気導入口１７１を介して左水槽１７０の内部に挿入されているが、このとき、図９３に示すように、チューブ３３２に差し込まれたＯリング３３２Ａを、空気導入口１７１の先端及び空気導入口１７１に螺着されるキャップ１７６の内側で挟み込むことにより、左水槽１７０の水１７５が外部に漏れることを防止することが望ましい。尚、空気導入口１７１からキャップ１７６を取り外せば、空気導入口１７１を介して、左水槽１７０に水１７５を入れることが可能である。
【００４７】
また、図９２では、チューブ３３４は、左水槽１７０の空気排出口１７２にはめ込まれているが、このとき、図９３に示すように、チューブ３３４に差し込まれたＯリング３３４Ａを、空気排出口１７２の先端及び空気排出口１７２に螺着されるキャップ１７６の内側で挟み込むことにより、左水槽１７０の水１７５が外部に漏れることを防止することが望ましい。尚、空気排出口１７２からキャップ１７６を取り外し、さらに、空気排出口１７２からチューブ３３４を取り外せば、空気排出口１７２を介して、左水槽１７０に水１７５を入れることが可能である。
【００４８】
但し、左水槽１７０に水１７５を入れることについては、図９４に示すように、専用の液体注入口１７７を左水槽１７０の上面１７３に設けるとともに、液体注入口１７７に螺着されるキャップ１７８を設けることにより行ってもよい。
【００４９】
また、図９２では、チューブ３３３は、右水槽２６０の空気導入口２６１を介して右水槽２６０の内部に挿入されているが、このとき、図９５に示すように、チューブ３３３に差し込まれたＯリング３３３Ａを、空気導入口２６１の先端及び空気導入口２６１に螺着されるキャップ２６６の内側で挟み込むことにより、右水槽２６０の水２６５が外部に漏れることを防止することが望ましい。尚、空気導入口２６１からキャップ２６６を取り外せば、空気導入口２６１を介して、右水槽２６０に水２７５を入れることが可能である。
【００５０】
また、図９２では、チューブ３３５は、右水槽２６０の空気排出口２６２にはめ込まれているが、このとき、図９５に示すように、チューブ３３５に差し込まれたＯリング３３５Ａを、空気排出口２６２の先端及び空気排出口２６２に螺着されるキャップ２６６の内側で挟み込むことにより、右水槽２６０の水２６５が外部に漏れることを防止することが望ましい。尚、空気排出口２６２からキャップ２６６を取り外し、さらに、空気排出口２６２からチューブ３３５を取り外せば、空気排出口２６２を介して、右水槽２６０に水２６５を入れることが可能である。
【００５１】
但し、右水槽２６０に水２６５を入れることについては、図９６に示すように、専用の液体注入口２６７を右水槽２６０の上面２６３に設けるとともに、液体注入口２６７に螺着されるキャップ２６８を設けることにより行ってもよい。
【００５２】
以上詳細に説明したように、本実施の形態のパチンコ機１では、左水槽１７０・右水槽２６０と、エアポンプ１８０、一対の基板１５０のＬＥＤ１５１などで構成された所謂「ウォーターランプ」を有している。さらに、所謂「ウォーターランプ」では、左水槽１７０・右水槽２６０に注入された水１７５，２６５に対し、一対の基板１５０のＬＥＤ１５１の光が一対の光拡散板１６０を通過して照射されるとともに、エアポンプ１８０から間欠的に吐出された空気がチューブ３３１，３３２，３３３を介して放出されるので、ライティングされた左水槽１７０・右水槽２６０内に泡を駆け上がらせることができる。
【００５３】
この点、左水槽１７０・右水槽２６０においては、チューブ３３２，３３３が差し込まれることにより、エアポンプ１８０からの空気を左水槽１７０・右水槽２６０の水１７５，２６５に放出するための空気導入口１７１，２６１と、チューブ３３４，３３５が嵌め込まれることにより、左水槽１７０・右水槽２６０の水１７５，２６５に放出された空気を外部に逃がすための空気排出口１７２，２６２とが、左水槽１７０・右水槽２６０の上面１７３，２６３に設けられていることから、左水槽１７０・右水槽２６０に注入された水１７５，２６５の液位よりも上に配設しており、外部へと通じる空気導入口１７１，２６１及び空気排出口１７２，２６２が、左水槽１７０・右水槽２６０に注入された水１７５，２６５の液位より下にないことから、左水槽１７０・右水槽２６０に注入された水１７５，２６５が外部に漏れることを構造的に防止することができる。
【００５４】
すなわち、本実施の形態のパチンコ機１では、電気部品が多く使用されているにも拘わらず、防水処理が施されていないパチンコ機１の現状を考慮し、外部へと通じる空気導入口１７１，２６１及び空気排出口１７２，２６２を、左水槽１７０・右水槽２６０に注入された水１７５，２６５の液位よりも上に配設しており、通常の使用中に、左水槽１７０・右水槽２６０の水１７５，２６５が外部に漏れることを構造的に防止しているので、所謂「ウォーターランプ」を安全に使用することができる。
【００５５】
また、本実施の形態のパチンコ機１では、空気導入口１７１，２６１を左水槽１７０・右水槽２６０の上面１７３に配設しているので、空気導入口１７１，２６１を介して、左水槽１７０・右水槽２６０の水１７５，２６５がエアポンプ１８０に逆流することを構造的に防止することができる。この点、電気部品などの各種部品が密集しているパチンコ機１の現状と、所謂「ウォーターランプ」による装飾は付属的なものであって、あくまでもパチンコ遊技が主体であるパチンコ機１の本質とを考慮すれば、左水槽１７０・右水槽２６０の水１７５，２６５がエアポンプ１８０に逆流しなければ、密集する電気部品などの各種部品に水１７５，２６５がかかることがないので、所謂「ウォーターランプ」による付属的な装飾を設けるために、主体であるパチンコ遊技に支障が生じることがない。
【００５６】
また、本実施の形態のパチンコ機１では、空気排出口１７２，２６２を左水槽１７０・右水槽２６０の上面１７３に配設しているので、空気排出口１７２，２６２を介して、左水槽１７０・右水槽２６０の水１７５，２６５が外部に流出することを構造的に防止することができる。この点、電気部品などの各種部品が密集しているパチンコ機１の現状と、所謂「ウォーターランプ」による装飾は付属的なものであって、あくまでもパチンコ遊技が主体であるパチンコ機１の本質とを考慮すれば、左水槽１７０・右水槽２６０の水１７５，２６５が外部に流出しなければ、密集する電気部品などの各種部品に水１７５，２６５がかかることがないので、所謂「ウォーターランプ」による付属的な装飾を設けるために、主体であるパチンコ遊技に支障が生じることがない。
【００５７】
また、本実施の形態のパチンコ機１では、所謂「ウォーターランプ」を構成する、左水槽１７０・右水槽２６０及び、エアポンプ１８０、一対の基板１５０のＬＥＤ１５１が、ガラス扉１０１に内設されており、ガラス扉１０１は、ヒンジ３を介して、外枠２に対して回動可能に設けられていることから、上述した効果をより大きく発揮することができる。
【００５８】
尚、本発明は上記実施の形態に限定されるものでなく、その趣旨を逸脱しない範囲で様々な変更が可能である。
例えば、本実施の形態のパチンコ機１では、左水槽１７０・右水槽２６０に注入される透光性液体として、水１７５，２６５を使用しているが、不凍液などを使用してもよい。
【００５９】
また、本実施の形態のパチンコ機１では、空気導入口１７１，２６１及び空気排出口１７２，２６２は、それぞれ異なるものであった。しかしながら、空気導入口１７１及び空気排出口１７２、空気導入口２６１及び空気排出口２６２を、それぞれ同一にしてもよい。
【００６０】
【発明の効果】
本発明のパチンコ機では、電気部品が多く使用されているにも拘わらず、防水処理が施されていないパチンコ機の現状を考慮し、外部へと通じる空気導入口及び空気排出口を、透光性容器に注入された透光性液体の液位よりも上に配設しており、通常の使用中に、透光性容器の透光性液体が外部に漏れることを構造的に防止しているので、所謂「ウォーターランプ」を安全に使用することができる。
【００６１】
【００６２】
【００６３】
また、本発明のパチンコ機において、所謂「ウォーターランプ」を構成する、透光性容器及び、エアポンプ、照明手段が、ガラス扉に内設されていれば、ガラス扉は回動するものであることから、上述した効果をより大きく発揮することができる。
【図面の簡単な説明】
【図１】
本発明の一実施形態によるパチンコ機におけるガラス扉の分解組立図である。
【図２】
本発明の一実施形態によるパチンコ機における右サイドレンズの正面図である。
【図３】
本発明の一実施形態によるパチンコ機における右サイドレンズの平面図である。
【図４】
本発明の一実施形態によるパチンコ機における右サイドレンズの側面図である。
【図５】
本発明の一実施形態によるパチンコ機における右サイドレンズを裏側からみた斜視図である。
【図６】
本発明の一実施形態によるパチンコ機における表本体の正面図である。
【図７】
本発明の一実施形態によるパチンコ機における表本体の平面図である。
【図８】
本発明の一実施形態によるパチンコ機における表本体の側面図である。
【図９】
本発明の一実施形態によるパチンコ機における表本体を表側からみた斜視図である。
【図１０】
本発明の一実施形態によるパチンコ機における左サイドレンズの正面図である。
【図１１】
本発明の一実施形態によるパチンコ機における左サイドレンズの平面図である。
【図１２】
本発明の一実施形態によるパチンコ機における左サイドレンズの側面図である。
【図１３】
本発明の一実施形態によるパチンコ機における左サイドレンズを表側からみた斜視図である。
【図１４】
本発明の一実施形態によるパチンコ機における左下レンズの正面図である。
【図１５】
本発明の一実施形態によるパチンコ機における左下レンズの平面図である。
【図１６】
本発明の一実施形態によるパチンコ機における左下レンズの側面図である。
【図１７】
本発明の一実施形態によるパチンコ機における左下レンズを表側からみた斜視図である。
【図１８】
本発明の一実施形態によるパチンコ機における基板の正面図である。
【図１９】
本発明の一実施形態によるパチンコ機における基板の平面図である。
【図２０】
本発明の一実施形態によるパチンコ機における基板の側面図である。
【図２１】
本発明の一実施形態によるパチンコ機における基板の斜視図である。
【図２２】
本発明の一実施形態によるパチンコ機における光拡散板の正面図である。
【図２３】
本発明の一実施形態によるパチンコ機における光拡散板の平面図である。
【図２４】
本発明の一実施形態によるパチンコ機における光拡散板の側面図である。
【図２５】
本発明の一実施形態によるパチンコ機における光拡散板の斜視図である。
【図２６】
本発明の一実施形態によるパチンコ機における左水槽の正面図である。
【図２７】
本発明の一実施形態によるパチンコ機における左水槽の平面図である。
【図２８】
本発明の一実施形態によるパチンコ機における左水槽の側面図である。
【図２９】
本発明の一実施形態によるパチンコ機における左水槽の斜視図である。
【図３０】
本発明の一実施形態によるパチンコ機におけるエアポンプの正面図である。
【図３１】
本発明の一実施形態によるパチンコ機におけるエアポンプの平面図である。
【図３２】
本発明の一実施形態によるパチンコ機におけるエアポンプの側面図である。
【図３３】
本発明の一実施形態によるパチンコ機におけるエアポンプの斜視図である。
【図３４】
本発明の一実施形態によるパチンコ機における右下レンズの正面図である。
【図３５】
本発明の一実施形態によるパチンコ機における右下レンズの平面図である。
【図３６】
本発明の一実施形態によるパチンコ機における右下レンズの側面図である。
【図３７】
本発明の一実施形態によるパチンコ機における右下レンズを表側からみた斜視図である。
【図３８】
本発明の一実施形態によるパチンコ機におけるソレノイドゴムの平面図である。
【図３９】
本発明の一実施形態によるパチンコ機におけるソレノイドゴムの側面図である。
【図４０】
本発明の一実施形態によるパチンコ機におけるソレノイドゴムの斜視図である。
【図４１】
本発明の一実施形態によるパチンコ機におけるソレノイド軸の側面図である。
【図４２】
本発明の一実施形態によるパチンコ機におけるソレノイド軸の平面図である。
【図４３】
本発明の一実施形態によるパチンコ機におけるソレノイド軸の斜視図である。
【図４４】
本発明の一実施形態によるパチンコ機におけるソレノイドキャップの側面図である。
【図４５】
本発明の一実施形態によるパチンコ機におけるソレノイドキャップの平面図である。
【図４６】
本発明の一実施形態によるパチンコ機におけるソレノイドキャップの斜視図である。
【図４７】
本発明の一実施形態によるパチンコ機におけるソレノイド本体の平面図である。
【図４８】
本発明の一実施形態によるパチンコ機におけるソレノイド本体の正面図である。
【図４９】
本発明の一実施形態によるパチンコ機におけるソレノイド本体の側面図である。
【図５０】
本発明の一実施形態によるパチンコ機におけるソレノイド本体の斜視図である。
【図５１】
本発明の一実施形態によるパチンコ機におけるソレノイド台の正面図である。
【図５２】
本発明の一実施形態によるパチンコ機におけるソレノイド台の平面図である。
【図５３】
本発明の一実施形態によるパチンコ機におけるソレノイド台の側面図である。
【図５４】
本発明の一実施形態によるパチンコ機におけるソレノイド台の斜視図である。
【図５５】
本発明の一実施形態によるパチンコ機における右水槽の正面図である。
【図５６】
本発明の一実施形態によるパチンコ機における右水槽の平面図である。
【図５７】
本発明の一実施形態によるパチンコ機における右水槽の側面図である。
【図５８】
本発明の一実施形態によるパチンコ機における右水槽の斜視図である。
【図５９】
本発明の一実施形態によるパチンコ機における裏本体の正面図である。
【図６０】
本発明の一実施形態によるパチンコ機における裏本体の平面図である。
【図６１】
本発明の一実施形態によるパチンコ機における裏本体の側面図である。
【図６２】
本発明の一実施形態によるパチンコ機における裏本体の背面図である。
【図６３】
本発明の一実施形態によるパチンコ機における裏本体を表側からみた斜視図である。
【図６４】
本発明の一実施形態によるパチンコ機における中波の正面図である。
【図６５】
本発明の一実施形態によるパチンコ機における中波の平面図である。
【図６６】
本発明の一実施形態によるパチンコ機における中波の側面図である。
【図６７】
本発明の一実施形態によるパチンコ機における中波の斜視図である。
【図６８】
本発明の一実施形態によるパチンコ機における左波の正面図である。
【図６９】
本発明の一実施形態によるパチンコ機における左波の平面図である。
【図７０】
本発明の一実施形態によるパチンコ機における左波の側面図である。
【図７１】
本発明の一実施形態によるパチンコ機における左波の斜視図である。
【図７２】
本発明の一実施形態によるパチンコ機における右波の正面図である。
【図７３】
本発明の一実施形態によるパチンコ機における右波の平面図である。
【図７４】
本発明の一実施形態によるパチンコ機における右波の側面図である。
【図７５】
本発明の一実施形態によるパチンコ機における右波の斜視図である。
【図７６】
本発明の一実施形態によるパチンコ機における裏本体の正面図であって、ソレノイドと、一対の基板、一対の光拡散板、左水槽、エアポンプ、右水槽を裏本体に取り付けた際のものである。
【図７７】
本発明の一実施形態によるパチンコ機における裏本体の平面図であって、ソレノイドと、一対の基板、一対の光拡散板、左水槽、エアポンプ、右水槽を裏本体に取り付けた際のものである。
【図７８】
本発明の一実施形態によるパチンコ機における裏本体の側面図であって、ソレノイドと、一対の基板、一対の光拡散板、左水槽、エアポンプ、右水槽を裏本体に取り付けた際のものである。
【図７９】
本発明の一実施形態によるパチンコ機における裏本体の斜視図であって、ソレノイドと、一対の基板、一対の光拡散板、左水槽、エアポンプ、右水槽を裏本体に取り付けた際のものである。
【図８０】
本発明の一実施形態によるパチンコ機における二股ストローの正面図である。
【図８１】
本発明の一実施形態によるパチンコ機における二股ストローの平面図である。
【図８２】
本発明の一実施形態によるパチンコ機における二股ストローの側面図である。
【図８３】
本発明の一実施形態によるパチンコ機における二股ストローの斜視図である。
【図８４】
本発明の一実施形態によるパチンコ機におけるガラス扉の正面図である。
【図８５】
本発明の一実施形態によるパチンコ機におけるガラス扉の平面図である。
【図８６】
本発明の一実施形態によるパチンコ機におけるガラス扉の側面図である。
【図８７】
本発明の一実施形態によるパチンコ機におけるガラス扉の斜視図である。
【図８８】
本発明の一実施形態によるパチンコ機の正面図である。
【図８９】
本発明の一実施形態によるパチンコ機の側面図である。
【図９０】
本発明の一実施形態によるパチンコ機において、ガラス扉が閉じた状態を示した上面図である。
【図９１】
本発明の一実施形態によるパチンコ機において、ガラス扉が開いた状態を示した上面図である。
【図９２】
本発明の一実施形態によるパチンコ機における所謂「ウォーターランプ」の概要を示した図である。
【図９３】
本発明の一実施形態によるパチンコ機において、ガラス扉の左水槽の上部を示した図である。
【図９４】
本発明の一実施形態によるパチンコ機において、ガラス扉の左水槽に液体注入口を設けた一例を示した図である。
【図９５】
本発明の一実施形態によるパチンコ機において、ガラス扉の右水槽の上部を示した図である。
【図９６】
本発明の一実施形態によるパチンコ機において、ガラス扉の右水槽に液体注入口を設けた一例を示した図である。
【符号の説明】
１  パチンコ機
１０１  ガラス扉
１５１  ＬＥＤ
１７０  左水槽
１７１  左水槽の空気導入口
１７２  左水槽の空気排出口
１７３  左水槽の上面
１７５  左水槽の水
１８０  エアポンプ
２６０  右水槽
２６１  右水槽の空気導入口
２６２  右水槽の空気排出口
２６３  右水槽の上面
２６５  右水槽の水